(57)【要約】【課題】既存の電磁弁を用いつつ、他部品との干渉を防ぐことができるガス比例弁ユニット及び給湯器を提供する。【解決手段】ガス比例弁ユニット４１Ａにおいて、下バルブボディ４２Ａは第一管部５１、第一弁室部５２、第二管部５３、第二弁室部５４を備える。第一管部５１は、本体通路部５１Ａと接続通路部５１Ｂを備える。第一管部５１は上下方向に延びる。本体通路部５１Ａの上端部に接続通路部５１Ｂが設けられる。接続通路部５１Ｂは上端部で第一弁室部５２と接続される。第二管部５３は前後方向に延び、その後端部を第一弁室部５２と、前端部を第二弁室部５４と接続される。元ガス電磁弁４３は、第一弁室部５２の後端の壁部と接続通路部５１Ｂ後端の壁部とに跨り上下方向に形成される電磁弁固定部５６に固定される。電磁弁固定部５６は、本体通路部５１Ａの後端の壁部より前側に凹んで配置される。【選択図】図５
2020079616.tif 000002
【特許請求の範囲】
【請求項１】
内部をガスが通過するガス通路を備えるバルブボディと、前記バルブボディに固定され、前記ガス通路を開閉する電磁弁と、前記バルブボディに固定され、前記ガス通路を流れるガス量を調整する比例弁とを備え、バーナに供給するガス流量を制御するガス器具のガス比例弁ユニットにおいて、
前記バルブボディは、
第一の向きに延び、第一ガス通路を内部に備える第一管部と、
前記第一管部のガスが流れる下流側の一端部に設けられ、前記第一ガス通路と連通する第一弁室を内部に備える第一弁室部と、
前記第一弁室部から前記第一の向きと交差する第二の向きに延び、前記第一弁室と連通する第二ガス通路を内部に備える第二管部と、
前記第二管部のガスが流れる下流側の一端部に設けられ、前記第二ガス通路と連通する第二弁室を内部に備える第二弁室部と、
前記第一弁室部の前記第二管部が設けられる側とは反対側の壁部と、当該壁部と連続し、前記第一管部における前記第一弁室部と接続する接続部分の壁部とに跨いで設けられ、前記第一の向きに平行な部分である第一固定部と、
前記第二弁室部の前記第一管部が位置する側の壁部に設けられ、前記第二の向きに平行な部分である第二固定部と
を備え、
前記電磁弁は、前記第一弁室内に弁体を前記第二の向きと平行な方向において進退可能に配置した状態で、前記第一固定部に対し、前記第二の向きとは反対の向きに突出するように固定され、
前記比例弁は、前記第二弁室内に弁体を前記第一の向きと平行な方向において進退可能に配置した状態で、前記第二固定部に固定され、
前記第一固定部は、前記第一管部における前記接続部分を除く壁部であって前記電磁弁が配置される側の壁部よりも前記第二の向きに凹んで形成されていること
を特徴とするガス比例弁ユニット。
【請求項２】
前記第一管部は、
内部の前記ガス通路における長さ方向に直交する断面が円形状である本体通路部と、
前記接続部分に対応し、内部の前記ガス通路における長さ方向に直交する断面が円弧部と直線部で形成される略半円形状である接続通路部と
を備え、
前記接続通路部は、前記円弧部に対して前記直線部を前記電磁弁側に向けて配置されていること
を特徴とする請求項１に記載のガス比例弁ユニット。
【請求項３】
請求項１又は２に記載の比例弁ユニットを備えたことを特徴とする給湯器。
【発明の詳細な説明】
【技術分野】
【０００１】
本発明は、ガス比例弁ユニット及び給湯器に関する。
【背景技術】
【０００２】
従来、給湯器には、バーナに供給するガス流量を制御する電磁弁ユニットが設けられる（例えば、特許文献１参照）。電磁弁ユニットは、金属製のハウジングを備える。ハウジングには、元弁と比例弁等が組み込まれる。ハウジングは内部にガス通路を備える。ハウジングは、ガスが流れる上流側から順に、第一管部、第一弁室部、第二管部、及び第二弁室部を備える。第一管部は、ガスの流れる下流側の一端で第一弁室部と接続される。第二管部は、第一管部に対して垂直な向きで、一端を第一弁室部と接続される。第二管部は、他端を第二弁室部と接続される。元弁は、第一弁室部の第二管部が設けられる側とは反対側の壁部に固定され、その弁体は、第一弁室部内に配置される。元弁は、第一弁室部内で弁体を進退することによって、ハウジング内のガス通路を開閉する。比例弁は、第二弁室部の壁部に固定され、その弁体は第二弁室部内に配置される。比例弁は、第二弁室部内で弁体を進退することによって、元弁を通過してガス通路を流れるガス量を調整する。
【先行技術文献】
【特許文献】
【０００３】
【特許文献１】特開２００３−１８５１３４号公報
【発明の概要】
【発明が解決しようとする課題】
【０００４】
元弁は、ハウジングにおける第一弁室部の壁部から第二管部の延びる向きと反対の向きに突出している。このため、筐体内において他部品と干渉してしまう場合があり、既存の電磁弁を用いた電磁弁ユニットを筐体内に収納することが困難であった。
【０００５】
本発明の目的は、既存の電磁弁を用いつつ、他部品との干渉を防ぐことができるガス比例弁ユニット及び給湯器を提供することである。
【０００６】
請求項１に係る発明のガス比例弁ユニットは、内部をガスが通過するガス通路を備えるバルブボディと、前記バルブボディに固定され、前記ガス通路を開閉する電磁弁と、前記バルブボディに固定され、前記ガス通路を流れるガス量を調整する比例弁とを備え、バーナに供給するガス流量を制御するガス器具のガス比例弁ユニットにおいて、前記バルブボディは、第一の向きに延び、第一ガス通路を内部に備える第一管部と、前記第一管部のガスが流れる下流側の一端部に設けられ、前記第一ガス通路と連通する第一弁室を内部に備える第一弁室部と、前記第一弁室部から前記第一方向と交差する第二の向きに延び、前記第一弁室と連通する第二ガス通路を内部に備える第二管部と、前記第二管部のガスが流れる下流側の一端部に設けられ、前記第二ガス通路と連通する第二弁室を内部に備える第二弁室部と、前記第一弁室部の前記第二管部が設けられる側とは反対側の壁部と、当該壁部と連続し、前記第一管部における前記第一弁室部と接続する接続部分の壁部とに跨いで設けられ、前記第一の向きに平行な部分である第一固定部と、前記第二弁室部の前記第一管部が位置する側の壁部に設けられ、前記第二の向きに平行な部分である第二固定部とを備え、前記電磁弁は、前記第一弁室内に弁体を前記第二の向きと平行な方向において進退可能に配置した状態で、前記第一固定部に対し、前記第二の向きとは反対の向きに突出するように固定され、前記比例弁は、前記第二弁室内に弁体を前記第一の向きと平行な方向において進退可能に配置した状態で、前記第二固定部に固定され、前記第一固定部は、前記第一管部における前記接続部分を除く壁部であって前記電磁弁が配置される側の壁部よりも前記第二の向きに凹んで形成されていることを特徴とする。
【０００７】
請求項２に係る発明のガス比例弁ユニットは、請求項１に記載の構成に加え、前記第一管部は、内部の前記ガス通路における長さ方向に直交する断面が円形状である本体通路部と、前記接続部分に対応し、内部の前記ガス通路における長さ方向に直交する断面が円弧部と直線部で形成される略半円形状である接続通路部とを備え、前記接続通路部は、前記円弧部に対して前記直線部を前記電磁弁側に向けて配置されていることを特徴とする。
【０００８】
請求項３に係る発明の給湯器は、請求項１又は２に記載のガス比例弁ユニットを備えたことを特徴とする。
【発明の効果】
【０００９】
請求項１に係る発明のガス比例弁ユニットによれば、簡単な構成で、且つ既存の電磁弁を用いても、バルブボディからの電磁弁の突出量を抑えることができる。よって、既存の電磁弁を用いつつ、他部品との干渉を防ぐことができる。
【００１０】
請求項２に係る発明のガス比例弁ユニットによれば、請求項１に記載の効果に加え、第一ガス通路は、本体通路部の長さ方向に直交する断面を円形状にしているが、第一固定部が本体通路部の電磁弁側の壁部よりも第二方向側に凹んでいることから、接続部分に対応する接続通路部において、その内部のガス通路は直線部を電磁弁側に向けた略半円の断面形状をしている。これにより、バルブボディからの電磁弁の突出量を抑えつつも、接続部分におけるガス流通を担保できる。
【００１１】
請求項３に係る発明の給湯器によれば、請求項１又は２に記載の効果を得ることができ、ガス比例弁ユニットと他部品の干渉を防ぐことができる。
【図面の簡単な説明】
【００１２】
【図１】ガス給湯器１の下方からの斜視図である。
【図２】ガス給湯器１の概略構成図である。
【図３】バルブユニット４１周囲の下方からの斜視図である。
【図４】バルブユニット４１の下方からの斜視図である。
【図５】バルブユニット４１の縦断面図である。
【図６】カバー体６０を除いたバルブユニット４１の上方からの斜視図である。
【図７】バルブユニット４１の正面図である。
【図８】バルブユニット４１の右側面図である。
【発明を実施するための形態】
【００１３】
以下、本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１４】
図１を参照し、ガス給湯器１の外観構造を説明する。ガス給湯器１は、筐体２とフロントカバー３を備える。筐体２は金属製であり、前面を除く五面が囲まれる略直方体状に形成される。筐体２は、天板（図示外）、底板４、左側面板（図示外）、右側面板５、及び背板（図示外）を備える。背板の上端部及び下端部には、取付用金具６が夫々設けられる。底板４には、外部の給湯栓へ繋がる出湯口１１、外部から水道管が接続される入水口１２、外部からガス供給管が接続されるガス入口１３が夫々設けられる。
【００１５】
フロントカバー３は金属製であり、背面を除く五面が囲まれる略直方体状に形成される。フロントカバー３の前面の上部には、左右方向に延びる開口が設けられ、当該開口から排気筒９が前方に突出している。フロントカバー３の底面及び左右側面の下部には、スリット状に形成される複数の吸気口１０が間隔を空けて設けられる。
【００１６】
図２，図３を参照し、筐体２の内部構造を説明する。筐体２の内部には、燃焼室２０、燃焼ファン２９、給水管３１、出湯管３２、バイパス管３３、ガス管４０、バルブユニット４１等が設けられる。燃焼室２０には複数のバーナが左右方向に積層した、２つのバーナ群２８、熱交換器２２、及び排気筒９を備える。２つのバーナ群２８は、燃焼室２０の下側に設けられる。２つのバーナ群２８のうち片側のバーナ群２８の近傍には、フレームロッド２６及び点火プラグ２７が設けられる。熱交換器２２は、２つのバーナ群２８の上方に設けられる。熱交換器２２は内部を通水可能な管体２３を備え、２つのバーナ群２８からの燃焼排気の熱によって管体２３内を流れる水が加熱される。排気筒９は、燃焼室２０の前面上部に設けられる。排気筒９は、熱交換器２２の内部を通過した燃焼排気を整流しつつガス給湯器１の外へ排出する。燃焼ファン２９は、燃焼室２０の底部に設けられた開口部２４の直下に設けられる。燃焼ファン２９は、開口部２４を介して、２つのバーナ群２８に向けて二次空気を供給する。
【００１７】
給水管３１は、一端が入水口１２に接続され、他端が熱交換器２２の管体２３の入口に接続される。給水管３１には、水が流れる上流側から順に、水流スイッチ３６、水量センサ３４、及び水量制御モータ３５が設けられる。水流スイッチ３６は、給水管３１内を水が流れているか否かを検出する。水量センサ３４は、給水管３１を流れる水量を計測する。水量制御モータ３５は、給水管３１を流れる水量を制御する。出湯管３２は、一端が出湯口１１に接続され、他端が熱交換器２２の管体２３の出口に接続されている。バイパス管３３は、給水管３１と出湯管３２の間に接続されている。バイパス管３３は、給水管３１に流れる水の一部を、出湯管３２を流れる湯に合流させる。
【００１８】
ガス管４０は、一端がガス入口１３に接続され、他端がバルブユニット４１に接続される。バルブユニット４１は、燃焼室２０の下方に設けられる。バルブユニット４１には、後述する元ガス電磁弁４３及び比例弁４４等を備える。バルブユニット４１は、ガス管４０から２つのバーナ群２８に向けて供給されるガス量を制御し、ノズル台４６（図３では省略）を介して、２つのバーナ群２８にガスを供給する。
【００１９】
ガス給湯器１の作動を簡単に説明する。水流スイッチ３６が入水口１２より給水管３１に水が流入したことを検出すると、燃焼ファン２９が作動し、バーナ群２８に空気が供給される。次いで、バルブユニット４１内のガス通路が開き、ガス入口１３から供給されるガスがバーナ群２８へ送られる。点火プラグ２７が放電して生じた火花により、バーナ群２８は点火し、ガスと空気の混合気を燃焼させる。熱交換器２２の管体２３内を流れる水は、バーナ群２８による燃焼排気熱によって加熱される。フレームロッド２６がバーナ群２８の炎を検出すると、バルブユニット４１内部のガス通路は開状態が維持される。バルブユニット４１によってバーナ群２８に送られるガス量が制御される。水量センサ３４で計測した水量に基づいて水量制御モータ３５によって給水管３１を流れる水量が制御される。水流スイッチ３６が入水口１２から給水管３１に水の流入がなくなったことを検出すると、バルブユニット４１内のガス通路が閉じ、バーナ群２８は消火する。そして、燃焼ファン２９の作動が停止し、ガス給湯器１は作動を停止する。
【００２０】
図４から図８を参照し、バルブユニット４１の構造を説明する。図４に示すように、バルブユニット４１は、ガス比例弁ユニット４１Ａ及び切替ユニット４１Ｂを備える。ガス比例弁ユニット４１Ａはバルブユニット４１の下側に、切替ユニット４１Ｂはバルブユニット４１の上側に設けられる。ガス比例弁ユニット４１Ａは、ガス入口１３から供給されるガスの流通の開閉制御及びバーナ群２８に供給するガス量の制御を行う。切替ユニット４１Ｂは、ガス比例弁ユニット４１Ａから供給されるガスを２つのバーナ群２８に分配制御する。
【００２１】
図５を参照し、ガス比例弁ユニット４１Ａを説明する。図５はバルブユニット４１の縦断面図である。図５に示すように、ガス比例弁ユニット４１Ａは、下バルブボディ４２Ａ、元ガス電磁弁４３、及び比例弁４４を備える。下バルブボディ４２Ａは金属製で、略逆Ｌ字状に形成される。下バルブボディ４２Ａは、ガスが流れる方向の上流側から順に、第一管部５１、第一弁室部５２、第二管部５３、第二弁室部５４を備える。第一管部５１は第一ガス通路６１、第一弁室部５２は第一弁室６２、第二管部５３は第二ガス通路６３、第二弁室部５４は第二弁室６４を夫々有する。第二弁室部５４の上端部は開口している。
【００２２】
第一管部５１は上下方向に延びて設けられる。第一管部５１は、本体通路部５１Ａと接続通路部５１Ｂを備える。本体通路部５１Ａは、第一管部５１の下側に配置される。本体通路部５１Ａの下端部は、ガス管４０を介してガス入口１３と接続され、上端部で接続通路部５１Ｂと接続する。
【００２３】
本体通路部５１Ａは、上下方向と直交する断面が円形である本体通路６１Ａを有する。接続通路部５１Ｂは、上下方向と直交する断面が円弧部と直線部で形成される略半円形状である接続通路６１Ｂを有する。尚、接続通路６１Ｂの略半円形断面は半円形状を構成する直線部が円弧部に対して後側に向けて配置される。本体通路６１Ａは接続通路６１Ｂと連通する。接続通路６１Ｂの上下方向と直交する断面積は、本体通路６１Ａの上下方向と直交する断面積よりも小さい。接続通路部５１Ｂの後端の壁部は、本体通路部５１Ａの後端の壁部より前側に配置される。
【００２４】
第一弁室部５２は、接続通路部５１Ｂの上端部に設けられる。第一弁室部５２の後端の壁部と接続通路部５１Ｂの後端の壁部とは、前後方向において略同じ位置に配置される。第一弁室部５２の後端の壁部及び接続通路部５１Ｂの後端の壁部は、電磁弁固定部５６として元ガス電磁弁４３の固定座として形成される。第一弁室６２は、接続通路６１Ｂと連通する。
【００２５】
第二管部５３は、第一管部５１の延びる方向と垂直である前後方向に延び、その後端部は第一弁室部５２と接続され、前端部は第二弁室部５４と接続されて設けられる。第二弁室部５４の下端部には比例弁４４の固定座として比例弁固定部５７が設けられる。第二ガス通路６３は第一弁室６２及び第二弁室６４と連通する。
【００２６】
元ガス電磁弁４３の弁体４３Ａは第一弁室６２に前後方向に進退可能に設けられる。元ガス電磁弁４３は、弁体４３Ａの他に、電磁コイル４３Ｂ、プランジャ４３Ｃ、ケース４３Ｄ、及びスプリング（図示略）を備える。弁体４３Ａはスプリングによって常時前方向に付勢される。従って、第二ガス通路６３は元ガス電磁弁４３によって閉じられている。電磁コイル４３Ｂが通電されると、弁体４３Ａに取り付けられたプランジャ４３Ｃが後方に引き込まれる。従って、第二ガス通路６３は元ガス電磁弁４３によって開かれる。このように、元ガス電磁弁４３は第一弁室６２にて第二ガス通路６３を開閉する。
【００２７】
元ガス電磁弁４３のケース４３Ｄは電磁弁固定部５６にて固定され、元ガス電磁弁４３は電磁弁固定部５６より後方に突出する。上述の通り、接続通路部５１Ｂの後端の壁部が本体通路部５１Ａの後端の壁部より前側に配置されている。また、第一弁室部５２の後端の壁部と接続通路部５１Ｂの後端の壁部とは、前後方向において略同じ位置に配置される。従って、電磁弁固定部５６は本体通路部５１Ａの後端の壁部より前側に配置される。よって、電磁弁固定部５６に元ガス電磁弁４３を固定することにより、ガス比例弁ユニット４１Ａ全体で見た時に、元ガス電磁弁４３の後方への突出量が抑えられる。よって、ガス比例弁ユニット４１Ａは既存の電磁弁を用いつつ、他部品との干渉を防ぐことができる。
【００２８】
また、第一管部５１の本体通路部５１Ａは、内部のガス通路である本体通路６１Ａの上下方向に直交する断面が円形状をしている。一方、電磁弁固定部５６が本体通路部５１Ａの後端の壁部よりも前側に凹んでいることから、接続通路部５１Ｂにおいては、内部のガス通路である接続通路６１Ｂの上下方向に直交する断面が円弧部と直線部で形成される略半円形状の断面形状をしている。また、略半円形状を構成する直線部を円弧部に対して元ガス電磁弁４３側に向けている。これにより、下バルブボディ４２Ａからの元ガス電磁弁４３の突出量を抑えつつも、接続通路６１Ｂにおけるガス流通を担保できる。
【００２９】
比例弁４４の弁体４４Ａは第二弁室６４に上下方向に進退可能に設けられる。比例弁４４は、弁体４４Ａの他に、電磁コイル４４Ｂ、制御鉄心４４Ｃ、ケース４４Ｄ、スプリング４４Ｅ、ダイヤフラム４４Ｆを備える。弁体４４Ａは、第二弁室部５４の下端部に設けられた開口を閉塞するダイヤフラム４４Ｆ、及び電磁コイル４４Ｂの内側を上下方向に進退可能に設けられる制御鉄心４４Ｃと連結している。ケース４４Ｄは比例弁固定部５７にて固定され、比例弁４４は第二弁室部５４より下方に突出する。スプリング４４Ｅは、上バルブボディ４２Ｂの内部に設けられたリング状のリング状孔部６７に収容され、弁体４４Ａを常時下方向に付勢する。電磁コイル４４Ｂが通電されると、通電電流値に比例した上方向への押圧力が弁体４４Ａに付与される。また第二弁室内のガス圧が変動しても、ダイヤフラム４４Ｆに連動して弁体４４Ａが変位し、ガス圧の変動によるガスの流量の変動が抑制される。このように、比例弁４４は第二弁室６４にて元ガス電磁弁４３を通過して流れるガス量を調整する。
【００３０】
図６から図８を参照して切替ユニット４１Ｂを説明する。図６に示すように、切替ユニット４１Ｂは、上バルブボディ４２Ｂと切替電磁弁４５を備える。上バルブボディ４２Ｂは金属製で、上下方向に延びて形成される。上バルブボディ４２Ｂの上端部には、２つの切替弁室部５５が左右に並んで設けられる。切替弁室部５５の前面には、夫々、切替ユニット４１Ｂ内を流れるガスを流出させるガス開口６６が設けられる（図４参照）。２つのガス開口６６はノズル台４６と接続される。
【００３１】
上バルブボディ４２Ｂの内部には、上下方向に延びる上ガス通路６５を備える（図５参照）。上バルブボディ４２Ｂは下端部が開口しており、下バルブボディ４２Ａと接続されたとき、第二弁室６４と上ガス通路６５が連通する。切替弁室部５５の内部には、夫々、切替弁室（図示外）が設けられる。上ガス通路６５は２つの切替弁室と連通する。
【００３２】
切替電磁弁４５は、切替弁室部５５の後端の壁部に固定される。切替電磁弁４５の弁体（図示外）は、切替弁室に前後方向に進退可能に設けられ、ガス開口６６を開閉可能である。従って、２つの切替弁室へ流れたガスは、２つの切替電磁弁４５の開閉の状況に応じて２つのバーナ群２８へ分配供給される。
【００３３】
図７、図８を参照してカバー体６０の構造を説明する。給水管３１の一部はバルブユニット４１の直上、且つ燃焼室２０の下方に配置される（図３参照）。給水管３１内部を流れる水の温度とガス給湯器１内部の温度の関係により、給水管３１の表面に結露が生じることがある。この結露水が、滴下してバルブユニット４１の上端部に設けられた切替電磁弁４５と接触する場合がある。切替電磁弁４５と水の接触を防ぐため、バルブユニット４１にはカバー体６０が設けられる。カバー体６０は透明樹脂製で、上面部６０Ａ、右側面部６０Ｂ、及び左側面部６０Ｃを備える。上面部６０Ａは平面視矩形状に形成される。右側面部６０Ｂ及び左側面部６０Ｃは、上面部６０Ａの左右方向端部の全域から垂れ下がるように設けられる。
【００３４】
右側面部６０Ｂ及び左側面部６０Ｃには、孔部６０Ｅが夫々二個ずつ上下方向に並んで設けられる。孔部６０Ｅは、十字の切れ込みで形成される。上バルブボディ４２Ｂには、孔部６０Ｅの対応する位置に突起部４２Ｃが設けられる。突起部４２Ｃは断面Ｔ字状に形成され、孔部６０Ｅと係止可能である。従って、カバー体６０は、孔部６０Ｅと突起部４２Ｃを係止することで上バルブボディ４２Ｂに容易に且つ外れないように取り付けられる。また、カバー体６０の上面部６０Ａではなく、右側面部６０Ｂ、左側面部６０Ｃにて係止しているので、カバー体６０に滴下した水が上面部６０Ａより内側に侵入するのを抑制できる。よって、バルブユニット４１はカバー体６０により水がバルブユニット４１の切替電磁弁４５と接触するのを効果的に抑制できる。
【００３５】
カバー体６０の一対の側面部である右側面部６０Ｂ、左側面部６０Ｃは、上バルブボディ４２Ｂに対して夫々複数の箇所で係止されるので、カバー体６０はバルブボディ４２に対して回動しなくなる。仮にカバー体６０がバルブボディ４２に対して回動すると、十分にバルブボディ４２や切替電磁弁４５を覆えなくなり、バルブボディ４２の上面に水が滴下し、切替電磁弁４５に水が伝ってしまうことや、直接、切替電磁弁４５に水が滴下することが考えられる。よって、カバー体６０がバルブボディ４２に安定して支持されることで、カバー体６０の効果を担保することができる。
【００３６】
更に、カバー体６０は透明樹脂製である。ガス給湯器１の組立や点検時において、上バルブボディ４２Ｂに設けられた突起部４２Ｃと、カバー体６０に設けられた孔部６０Ｅとの位置関係を把握しやすくなる。よって、カバー体６０のバルブボディ４２への取り付け又はバルブボディ４２からの取り外しが容易になる。
【００３７】
図７に示すように、カバー体６０の上面部６０Ａは、右側に向かって下方に傾斜している。また、図８に示すように、カバー体６０の上面部６０Ａは、後側に向かって下方に傾斜している。従って、カバー体６０は、給水管３１より滴下した水の流れをコントロールすることができ、カバー体６０の定点から水を滴下することができる。よって、カバー体６０より滴下した水が、バルブユニット４１より下部に配置された電気機器（例えば、水量制御モータ３５等）と接触するのを抑制できる。
【００３８】
また、図８に示すように、カバー体６０の上面部６０Ａの後端部にはカバー体壁部６０Ｄが上方に突出して設けられる。カバー体壁部６０Ｄは、左右方向の全域に亘って設けられる。これにより、上面部６０Ａの後端部より水が滴下することが抑制され、給水管３１より滴下した水の流れを更にコントロールすることができる。
【００３９】
図８には参考として、給水管３１を併せて示す。カバー体６０は、給水管３１の下方に配置される。カバー体６０は切替電磁弁４５の上方を覆っている。カバー体６０の前後方向の長さは、給水管３１、上バルブボディ４２Ｂ、及び切替電磁弁４５の位置関係を勘案して決定される。
【００４０】
上述の通り、バルブユニット４１には切替電磁弁４５の他に元ガス電磁弁４３及び比例弁４４が設けられる。元ガス電磁弁４３は切替電磁弁４５の下方後側に配置される。カバー体壁部６０Ｄによりカバー体６０より後方に水が流れることが抑制される。そして、元ガス電磁弁４３は左右方向でカバー体６０の内側に設けられるので、カバー体６０より滴下した水は元ガス電磁弁４３と接触し難い。よって、カバー体６０は元ガス電磁弁４３と水の接触も抑制できる。また、比例弁４４は切替電磁弁４５の下方前側に配置される。図７、図８に示すように、上面部６０Ａの傾斜により、水は比例弁４４から遠ざかる方向に流れる。そして、比例弁４４は左右方向でカバー体６０の内側に設けられるので、カバー体６０より滴下した水は比例弁４４と接触し難い。カバー体６０により比例弁４４と水が接触することも抑制できる。
【００４１】
以上説明したように、本実施形態のガス比例弁ユニット４１Ａは、内部をガスが通過するガス通路を備える下バルブボディ４２Ａと、下バルブボディ４２Ａに固定され、ガス比例弁ユニット４１Ａ内部のガス通路を開閉する元ガス電磁弁４３と、下バルブボディ４２Ａに固定され、元ガス電磁弁４３を通過してガス比例弁ユニット４１Ａ内のガス通路を流れるガス量を調整する比例弁４４とを備える。下バルブボディ４２Ａは、上方向に延び、第一ガス通路６１を内部に備える第一管部５１と、第一管部５１のガスが流れる下流側である上端部に設けられ、第一ガス通路６１と連通する第一弁室６２を内部に備える第一弁室部５２と、第一弁室部５２から前方向に延び、第一弁室６２と連通する第二ガス通路６３を内部に備える第二管部５３と、前記第二管部５３の前端部に設けられ、第二ガス通路６３と連通する第二弁室６４を内部に備える第二弁室部５４と、第一弁室部５２の後端の壁部と、当該壁部と連続し、第一管部５１における第一弁室部５２と接続する接続通路部５１Ｂの壁部とに跨いで設けられ、上下方向に平行な部分である電磁弁固定部５６と、第二弁室部５４の下端の壁部に設けられ、前後方向に平行な部分である比例弁固定部５７とを備える。元ガス電磁弁４３は、第一弁室６２内に弁体４３Ａを前後方向において進退可能に配置した状態で、電磁弁固定部５６に対し、後方に突出するように固定される。比例弁４４は、第二弁室６４内に弁体４４Ａを上下方向において進退可能に配置した状態で、比例弁固定部５７に固定される。電磁弁固定部５６は、第一管部５１における本体通路部５１Ａの後端の壁部よりも前方向に凹んで形成されている。故に、簡単な構成で、且つ既存の元ガス電磁弁４３を用いても、下バルブボディ４２Ａからの元ガス電磁弁４３の突出量を抑えることができる。よって、ガス比例弁ユニット４１Ａは既存の電磁弁を用いつつ、他部品との干渉を防ぐことができる。
【００４２】
本体通路部５１Ａ内部のガス通路である本体通路６１Ａの上下方向と直交する断面は円形である。また、接続通路部５１Ｂ内部のガス通路である接続通路６１Ｂの上下方向と直交する断面は円弧部と直線部で形成される略半円形状であり、円弧部に対して直線部を元ガス電磁弁４３側に向けて配置されている。第一ガス通路６１は、本体通路部５１Ａの内部のガス通路である本体通路６１Ａの長さ方向に直交する断面を円形状にしているが、電磁弁固定部５６が本体通路部５１Ａの後端の壁部よりも前方向に凹んでいることから、接続通路部５１Ｂにおいては、直線部を元ガス電磁弁４３側に向けた略半円形の断面形状をしている。これにより、下バルブボディ４２Ａからの元ガス電磁弁４３の突出量を抑えつつも、接続部分におけるガス流通を担保できる。
【００４３】
ガス給湯器１は、本実施形態のガス比例弁ユニット４１Ａを備えていることから、ガス比例弁ユニット４１Ａと他部品の干渉を防ぐことができる。
【００４４】
上記説明にて、下バルブボディ４２Ａが本発明の「バルブボディ」の一例である。元ガス電磁弁４３が本発明の「電磁弁」の一例である。電磁弁固定部５６が本発明の「第一固定部」の一例である。比例弁固定部５７が本発明の「第二固定部」の一例である。
【００４５】
なお、本発明は上記実施形態に限定されるものではなく、種々の変更が可能である。例えば、上記実施形態において、給水管３１の一部がバルブユニット４１の直上に配置されるが、結露の可能性がある通水管であればよく、バイパス管３３の一部がバルブユニット４１の直上に配置されてもよい。また、給水管３１とバイパス管３３の両方がバルブユニット４１の直上に配置されてもよい。
【００４６】
また、上記実施形態では、カバー体６０の右側面部６０Ｂ及び左側面部６０Ｃに、孔部６０Ｅが夫々二個ずつ設けられたが、孔部６０Ｅはカバー体６０の一方の側面に複数個、他方の側面に少なくとも一個設けられていればよい。例えば、右側面部６０Ｂに孔部６０Ｅが二個、左側面部６０Ｃに孔部６０Ｅが一個設けられ、上バルブボディ４２Ｂの孔部６０Ｅの対応する位置に突起部４２Ｃが設けられてもよい。
【００４７】
また、上記実施形態では、カバー体６０の右側面部６０Ｂ及び左側面部６０Ｃは、上面部６０Ａの左右方向端部の全域から垂れ下がるように設けられたが、突起部４２Ｃを覆うように設けられていればよい。
【００４８】
また、上記実施形態では、カバー体６０は透明樹脂からなっていたが、少なくとも孔部６０Ｅの周辺部が透明部材であればよい。
【００４９】
また、上記実施形態では、カバー体６０の孔部６０Ｅは十字の切れ込みで形成されているが、例えば円孔等、他の形状でもよい。また、上バルブボディ４２Ｂの突起部４２Ｃは断面Ｔ字状に形成されているが、例えば鉤状等、他の形状でもよい。また、カバー体６０に孔部６０Ｅ、上バルブボディ４２Ｂに突起部４２Ｃが設けられているが、孔部６０Ｅと突起部４２Ｃが対応関係にあればよく、例えばカバー体６０に突起部、上バルブボディ４２Ｂに孔部が設けられてもよい。
【００５０】
また、上記実施形態では、突起部４２Ｃは全て上バルブボディ４２Ｂに設けられたが、下バルブボディ４２Ａに設けてられてもよい。
【００５１】
また、上記実施形態では、電磁弁固定部５６は第一弁室部５２と接続通路部５１Ｂとに跨いで設けられているが、第一弁室部５２のみに設けてもよい。
【００５２】
また、上記実施形態では、第一管部５１は上下方向に延びているが、上下方向に沿って蛇行して設けられてもよい。また、左右方向、前後方向等、他の方向に延びてもよい。同様に、第二管部５３は前後方向に延びているが、前後方向に沿って蛇行して設けられてもよい。また、上下方向、左右方向等、他の方向に延びてもよい。第一管部５１と第一弁室部５２の接続部と、第二管部５３と第一弁室部５２の接続部とが同一直線状になければ自由に配管してよい。
【００５３】
また、上記実施形態では、接続通路部５１Ｂ内部のガス通路である接続通路６１Ｂの上下方向と直交する断面は円弧部と直線部で形成される略半円形状であるが、当該直線部が元ガス電磁弁４３側に向けて配置されていればよく、接続通路６１Ｂの上下方向と直交する断面が多角形で形成されてもよい。
【００５４】
また、上記実施形態では、接続通路６１Ｂの上下方向と直交する断面積は、本体通路６１Ａの上下方向と直交する断面積よりも小さいとしたが、同等若しくは大きくてもよい。
【００５５】
また、上記実施形態では、バーナ群２８及び切替電磁弁４５は夫々２つ設けられたが、バーナ群２８及び切替電磁弁４５の数は任意の数でよい。
【符号の説明】
【００５６】
４１Ａ    ガス比例弁ユニット
４２Ａ    下バルブボディ
４３      元ガス電磁弁
４４      比例弁
５１      第一管部
５１Ａ    本体通路部
５１Ｂ    接続通路部
５２      第一弁室部
５３      第二管部
５４      第二弁室部
５６      電磁弁固定部
５７      比例弁固定部
６１      第一ガス通路
６１Ａ    本体通路
６１Ｂ    接続通路
６２      第一弁室
６３      第一ガス通路
６４      第二弁室
【図１】
2020079616.tif 000003
【図２】
2020079616.tif 000004
【図３】
2020079616.tif 000005
【図４】
2020079616.tif 000006
【図５】
2020079616.tif 000007
【図６】
2020079616.tif 000008
【図７】
2020079616.tif 000009
【図８】
2020079616.tif 000010